(57)【要約】【課題】行わせようとした後処理と異なる後処理が誤って行われないようにした用紙後処理システムの実現。【解決手段】プレビュー表示パネル３に、選択された後処理の最終仕上り図案化アイコンではなく、後処理の工程を図案化した画像データを表示するようにする。具体的には、後処理の種類毎に、その工程を図案化した工程画像データを記憶しておく工程画像記憶手段６と、後処理表示設定パネル４で行わせようとする後処理が選択されるとその選択された後処理の工程画像を前記工程画像記憶手段６から選択して前記プレビュー表示パネル３に表示させる工程表示制御手段５を設け、プレビュー表示パネルには選択した後処理の工程画像が表示させるようにする。【選択図】図１
2009196755.tif 000002
【特許請求の範囲】
【請求項１】
後処理が行われるべき用紙を供給する用紙供給装置と、該用紙供給装置から供給された用紙に対して、複数種類の後処理から選択された後処理を行う後処理装置とからなる用紙後処理システムにおいて、
用紙供給装置に下記の（イ）〜（ニ）の各手段を有することを特徴とする用紙後処理システム。
（イ）後処理の種類が表示され、その中から行わせるべき後処理を選んで設定する後処理表示設定パネル
（ロ）後処理の種類毎にその工程を図案化した工程画像データを記憶しておく工程画像記憶手段
（ハ）前記工程画像を画面表示するプレビュー表示パネル
（ニ）前記後処理表示設定パネルで選択設定された後処理の工程画像を前記工程画像記憶手段から選択して前記プレビュー表示パネルに表示させる工程表示制御手段
【請求項２】
用紙供給装置が丁合装置であることを特徴とする請求項１記載の用紙後処理システム。
【請求項３】
用紙供給装置が、頁順の繰り返しで積載した用紙束から１枚ずつ供給するシートフィーダであることを特徴とする請求項１記載の用紙後処理システム。
【請求項４】
後処理表示設定パネルにおける後処理の種類の表示が電子画面式表示であることを特徴とする請求項１〜３のいずれか１項に記載の用紙後処理システム。
【請求項５】
後処理表示設定パネルとプレビュー表示パネルが１つの電子画面上に並べて表示されることを特徴とする請求項４記載の用紙後処理システム。
【請求項６】
後処理表示設定パネルの後処理の種類の表示が当該後処理を施した仕上り状態を図案化した画像であることを特徴とする請求項４又は請求項５記載の用紙後処理システム。
【請求項７】
下記の各手段を有することを特徴とする請求項１〜６のいずれか１項に記載の用紙後処理システム。
（イ）１つの後処理装置で行い得る１ないし複数の後処理の種類を、接続されることのある各後処理装置毎について記憶しておく記憶手段
（ロ）用紙供給装置へ接続された後処理装置の種類を示す種類信号を受ける受信手段
（ハ）受信手段が受けた前記信号に基づいて、前記記憶手段に記憶されている後処理の種類から前記信号に対応する後処理装置に対応する後処理の種類を後処理表示設定パネルへ表示させる表示制御手段
【請求項８】
前記受信手段が、操作者が入力した後処理装置の種類信号を受信するものであることを特徴とする請求項７記載の用紙後処理システム。
【請求項９】
前記受信手段が、接続された後処理装置が出力する種類信号を受信するものであることを特徴とする請求項７記載の用紙後処理システム。
【発明の詳細な説明】
【技術分野】
【０００１】
本発明は、印刷された複数枚の用紙一冊分の束毎に対し、各種の綴じ（肩綴じ、平綴じ、中綴じ）、折り、小口断裁等の後処理を施す用紙後処理システムの技術分野に関する。
【背景技術】
【０００２】
用紙後処理システムにおいては、供給されて来た用紙束に対しいかなる後処理を施すかを選択設定する操作パネルが設けられている。
図４は、操作パネルの一例を示す図である。
操作パネル２に、各後処理に対応するタッチキー１２とプレビュー表示パネル３が設けられている。そして、いずれかの後処理を選択してその処理に対応するタッチキーをタッチするとそのタッチキーが強調表示される（図４では枠線を太くしてある）などしてタッチされたことを示すとともに、プレビュー表示パネル３に、その後処理を施された仕上り外観が図案化されたアイコンが表示されるようになっている（例えば、特許文献１参照）。
【特許文献１】特許第３４８８１２９号公報（段落［０１０９］、図２５、図２６）
【発明の開示】
【発明が解決しようとする課題】
【０００３】
しかしながら、このような、後処理後の仕上り外観の図案化アイコンだけでは区別がつきにくく、誤った後処理を指定することが起こるという問題がある。
図５は、そのような誤りの生じ易い例を示した図である。
（ａ）は中折り処理だけの場合であるのに対して、（ｂ）は中綴じ折り処理の場合である。
即ち、折り線上の２箇所にステッチが示されている。
この程度の相違は、画像が小さかったり解像度が低い場合などには見落とす可能性があり、中折り処理だけ行うべきところ中綴じ処理もしてしまう可能性がある。
【０００４】
次に、（ｃ）は（ｂ）と同じで中綴じ折り処理を施した図であるが、（ｄ）は更に小口断裁を行った図である。（ｃ）では小口断裁を行っていないので、小口断裁は用紙面に対して傾斜しているのに対し、（ｄ）では小口断裁を行っているので小口断面は用紙面に対して直角となっている。
【０００５】
しかしながら、小口断面が用紙面に対して傾斜しているか直角かということは、このような外観斜視図では見づらいところであり、小口断裁する積もりがしないでしまったり、しない積もりがしてしまうという結果が生じ得るという問題がある。
【０００６】
本発明の課題は、上記従来技術の問題点に鑑みて、プレビュー表示パネルの画像を、後処理の工程が視覚的に分かるようにすることにより、意図と異なる後処理が行われたり、施そうとする後処理が行われなかったりすることのない用紙後処理システムを実現することにある。
【課題を解決するための手段】
【０００７】
本発明は、上記の課題を解決するために、以下の各手段構成を有する。
本発明の第１の構成（基本構成）は、後処理が行われるべき用紙を供給する用紙供給装置と、該用紙供給装置から供給された用紙に対して、複数種類の後処理から選択された後処理を行う後処理装置とからなる用紙後処理システムにおいて、用紙供給装置に下記の（イ）〜（ニ）の各手段を有することを特徴とする用紙後処理システムである。
（イ）後処理の種類が表示され、その中から行わせるべき後処理を選んで設定する後処理表示設定パネル
（ロ）後処理の種類毎にその工程を図案化した工程画像データを記憶しておく工程画像記憶手段
（ハ）前記工程画像を画面表示するプレビュー表示パネル
（ニ）前記後処理表示設定パネルで選択設定された後処理の工程画像を前記工程画像記憶手段から選択して前記プレビュー表示パネルに表示させる工程表示制御手段
【０００８】
本発明の第２の構成は、前記第１の構成において、用紙供給装置が丁合装置であることを特徴とする用紙後処理システムである。
【０００９】
本発明の第３の構成は、前記第１の構成において、用紙供給装置が、頁順の繰り返しで積載した用紙束から１枚ずつ供給するシートフィーダであることを特徴とする用紙後処理システムである。
【００１０】
本発明の第４の構成は、前記第１ないし第３のいずれか１つの構成において、後処理表示設定パネルにおける後処理の種類の表示が電子画面式表示であることを特徴とする用紙後処理システムである。
【００１１】
本発明の第５の構成は、前記第４の構成において、後処理表示設定パネルとプレビュー表示パネルが１つの電子画面上に並べて表示されることを特徴とする用紙後処理システムである。
【００１２】
本発明の第６の構成は、前記第４又は第５の構成において、後処理表示設定パネルの後処理の種類の表示が当該後処理を施した仕上り状態を図案化した画像であることを特徴とする用紙後処理システムである。
【００１３】
本発明の第７の構成は、前記第１〜第６の構成のいずれか１つの構成において、下記の各手段を有することを特徴とする用紙後処理システムである。
（イ）１つの後処理装置で行い得る１ないし複数の後処理の種類を、接続されることのある各後処理装置毎について記憶しておく記憶手段
（ロ）用紙供給装置へ接続された後処理装置の種類を示す種類信号を受ける受信手段
（ハ）受信手段が受けた前記信号に基づいて、前記記憶手段に記憶されている後処理の種類から前記信号に対応する後処理装置に対応する後処理の種類を後処理表示設定パネルへ表示させる表示制御手段
【００１４】
本発明の第８の構成は、前記第７の構成において、前記受信手段が、操作者が入力した後処理装置の種類信号を受信するものであることを特徴とする用紙後処理システムである。
【００１５】
本発明の第９の構成は、前記第７の構成において、前記受信手段が、接続された後処理装置が出力する種類信号を受信するものであることを特徴とする用紙後処理システムである。
【発明の効果】
【００１６】
本発明の第１の構成（基本構成）では、後処理表示設定パネルで選択設定された後処理の工程を図案化した画像データを工程画像記憶手段から読み出してプレビュー表示パネルに表示させるようにしたので、従来のように、単に後処理後の仕上がり外観を図案化したアイコンを表示する場合に較べて、選択設定した後処理を確実に確認することができ、行わせようとした後処理と異なる後処理を行わせてしまうということがなくなるという効果がある。
【００１７】
本発明の第２の構成および第３の構成では、それぞれ用紙供給装置が丁合装置であったり、シートフィーダ装置であったりする場合であり、前記第１の構成と全く同じ効果を奏する。
【００１８】
本発明の第４の構成では、後処理表示設定パネルが電子画面方式であるので可動部分がなく、信頼性が高いという効果がある。
【００１９】
本発明の第５の構成では、後処理表示設定パネルとプレビュー表示パネルが１つの電子画面上に並べて表示されるので、選択設定した後処理とその工程画像とをほぼ同じ視線で視ることができるので確認がし易いという効果がある。
【００２０】
本発明の第６の構成では、後処理表示設定パネルの後処理の種類表示が後処理の仕上り外観を図案化したものであるので、文字や記号等による表示よりも視覚的に認識し易いという効果がある。
【００２１】
本発明の第７の構成では、接続されることのあり得る後処理装置の行いうる後処理の種類すべてが記憶されており、現に接続し、或いは接続しようとする１ないし複数の後処理装置の種類を示す信号を受信手段で受信すると、当該後処理装置で行われる後処理の種類を記憶手段から読み出して後処理表示設定パネルに表示させるので現に接続し、或いは接続しようとする後処理装置とそれにより行われ得る後処理の種類とが確実に一致させることができるという効果がある。
【００２２】
本発明の第８の構成では、接続すべき後処理装置の種類信号を操作者が受信手段へ入力できるようになっているので、後処理装置の方にその種類を示す信号の出力手段がなくとも後処理表示設定パネルに接続すべき後処理装置が行う後処理の種類を表示させることができるという効果がある。
【００２３】
本発明の第９の構成では、接続された後処理装置が出力する種類信号が受信手段へ入力されるので、現接続された後処理装置で行われる後処理の種類が確実に後処理表示設定パネルに表示されるという効果がある。
【発明を実施するための最良の形態】
【００２４】
後処理表示設定パネルの後処理の種類表示は、当該後処理を施した仕上り状態を図案化したアイコンを電子画像表示とし、後処理装置は装置の種類を示す種類信号が出力できるようにしておき、後処理装置が用紙供給装置へ直接或いは用紙供給装置に接続（結合）されている後処理装置に続いて接続（結合）されたときに、他の操作、作業を要せずに前記種類信号が受信手段へ入力されるようにしておくことが、後処理表示設定パネルに選択し得る後処理の種類を確実に表示させるうえで最良の実施形態である。
【実施例】
【００２５】
以下、本発明の用紙後処理システムの実施例を図面を参照して説明する。
図１は、本発明を採用した用紙後処理システムの構成ブロック図である。
用紙供給装置１としては、丁合機、シートフィーダ、複写機等がある。用紙供給装置１の操作パネル２には、後処理表示設定パネル４とプレビュー表示パネル３が１つの電子画像表示パネルに設けられている。
後処理表示設定パネル４には、図２のように後処理の種類が文字表示されたタッチキー１２や、図３のように後処理の種類が後処理の仕上り外観を図案化したアイコンで表示されたタッチキー１４が配列されており、このタッチキー１２又は１４に指先タッチすることにより、行わせたい後処理が選択される。タッチされるとそのタッチキーが強調表示される。図２、図３では枠が太線で示されている。タッチ信号は工程表示制御手段５へ送られる。工程表示制御手段５は、タッチ信号を受けると、工程画像記憶手段６に記憶されている種々の後処理の工程を図案化した工程画像の中からタッチ信号に対応する工程画像を選び出してプレビュー表示パネル３に表示させるように制御する。
図２、図３ではいずれも中綴じ折り断裁の場合の工程画像が表示されている。
【００２６】
以上により、行わせるべき後処理を選択するとその後処理の工程画像がプレビュー表示パネル３に表示されることになる。
このようにプレビュー表示パネル３に工程画像を表示させることにより、従来のように当該工程の仕上り外観の図案化アイコンだけを表示する場合よりも、タッチキーに対する選択設定ミスがないかどうかを容易に確認できることになる。
【００２７】
なお上記実施例では、後処理表示設定パネル４を電子画像表示としたが、後処理の種類を示す文字や絵が表示されている押釦スイッチであってもよい。
また、上記実施例ではプレビュー表示パネル３と後処理表示設定パネル４は１つの画面パネルに並べて表示させているが、別の画面或いはパネルとしてもよい。
【００２８】
図１では、後処理装置として綴じ折り機１０と断裁機を接続されている。
綴じ折り機１０は後処理として肩綴じ、平綴じ、中折り、中綴じ折りが行えるようになっており、断裁機は小口断裁を行うようになっている。
そして、綴じ折り機１０からは綴じ折り機であることを示す種類信号が、また断裁機１１からは断裁機であることを示す種類信号が用紙供給装置１に設けられた受信手段９へ送られる。
【００２９】
他方、後処理記憶手段７には、各種の後処理が記憶されており、前記受信手段９が種類信号を受けると受信手段９はその情報を表示制御手段８へ送り、表示制御手段８に、前記後処理記憶手段７に記憶されている後処理の種類の中から綴じ折り機１０および断裁機１１によって行うことのできる後処理を選び出して後処理表示設定パネル４に表示させるようにする制御を行わせる。
【００３０】
このような動作により、後処理表示設定パネルには、接続された後処理機によって行うことのできる後処理がすべてタッチキーとして表示されることになる。
操作者は、行わせるべき後処理を示すタッチキーを指タッチすることにより、その後処理が行われることになる。
【００３１】
図１の例では後処理機の種類信号は、各後処理機から受信手段９へ信号線などにより送られるようになっているが、これに限らず、使用する後処理機が決まったならば、その種類を示す種類信号を操作者が受信手段へ手入力するものであってもよい。
【００３２】
また、用紙供給装置と後処理機を機構的に結合したときに、嵌合する凹凸構造の位置が異なるようにしておき、その位置にそれぞれスイッチを設けておき、接続される後処理機の種類によってオンとなるスイッチが異なるようにしておくことにより、表示制御手段８が接続された後処理機を識別するようにしてもよい。
【図面の簡単な説明】
【００３３】
【図１】本発明を採用した用紙後処理システムの構成ブロック図である。
【図２】本発明における後処理表示設定パネルと、プレビュー表示パネルにおける工程画像を表示した第１の例を示す図である。
【図３】本発明における後処理表示設定パネルと、プレビュー表示パネルにおける工程画像を表示した第２の例を示す図である。
【図４】従来の、後処理表示設定パネルと、後処理仕上り外観の図案化アイコンを表示するプレビュー表示パネルを示す図である。
【図５】従来のプレビュー表示パネルにおける後処理の仕上り外観の図案化アイコンでは後処理の区別を見誤る可能性があることを説明する図である。
【符号の説明】
【００３４】
１  用紙供給装置
２  操作パネル
３  プレビュー表示パネル
４  後処理表示設定パネル
５  工程表示制御手段
６  工程画像記憶手段
７  後処理記憶手段
８  表示制御手段
９  受信手段
１０  綴じ折り機
１１  断裁機
１２  タッチキー
１３  工程画像
１４  タッチキー
【図１】
2009196755.tif 000003
【図２】
2009196755.tif 000004
【図３】
2009196755.tif 000005
【図４】
2009196755.tif 000006
【図５】
2009196755.tif 000007